(57)【要約】【課題】構造が簡単故、製造コストを安価になしえ、脱臭効率に優れ、部品を簡単に交換できるため長期にわたって使用できる等優れた利点を有する脱臭機能付き空気浄化装置を提供する。【解決手段】気体を吸引して外部へ送出する気体吸引送出機器と、前記気体吸引送出機器に接続され、外部からの臭気を導入する気体導入部と、前記気体導入部からの臭気を処理する臭気処理部と、を有する浄化装置本体と、を備え、前記臭気処理部は、液体中に複数の粒状をなすセラミック炭が浸されて構成され、前記気体導入部からの臭気が気体導入部と臭気処理部との仕切りを透過し、泡状気体として臭気処理部内へ進入すると共に、前記複数の粒状をなすセラミック炭を液体中に巻き上げ、泡状気体と粒状セラミック炭とを接触させてセラミック炭に臭気成分を吸着させ、臭気成分が除外された気体を外部へ送出させる、ことを特徴とする。【選択図】　　　　図１
2004016681.tif 000002
【特許請求の範囲】
【請求項１】
気体を吸引して外部へ送出する気体吸引送出機器と、
前記気体吸引送出機器に接続され、外部からの臭気を導入する気体導入部と、
前記気体導入部からの臭気を処理する臭気処理部と、を有する浄化装置本体と、を備え、
前記臭気処理部は、液体中に複数の粒状をなすセラミック炭が浸されて構成され、
臭気処理部内に前記気体導入部からの臭気が泡状気体として進入すると共に、前記複数の粒状をなすセラミック炭を液体中に巻き上げ、泡状気体と粒状セラミック炭とを接触させてセラミック炭に臭気成分を吸着させ、臭気成分が除外された気体を外部へ送出させる、
ことを特徴とする脱臭機能付き空気浄化装置。
【請求項２】
気体を吸引して外部へ送出する気体吸引送出機器と、
前記気体吸引送出機器に接続され、外部からの臭気を導入する気体導入部と、
前記気体導入部からの臭気を処理する臭気処理部と、を有する浄化装置本体と、を備え、
前記臭気処理部は、液体中に複数の粒状をなすセラミック炭が浸されて構成され、
前記気体導入部からの臭気が気体導入部と臭気処理部との仕切りを透過し、泡状気体として臭気処理部内へ進入すると共に、前記複数の粒状をなすセラミック炭を液体中に巻き上げ、泡状気体と粒状セラミック炭とを接触させてセラミック炭に臭気成分を吸着させ、臭気成分が除外された気体を外部へ送出させる、
ことを特徴とする脱臭機能付き空気浄化装置。
【請求項３】
前記臭気処理部はユニット化され、交換可能とされてなることを特徴とする請求項１または請求項２記載の脱臭機能付き空気浄化装置。
【請求項４】
前記臭気処理部の前段部あるいは後段部若しくは前，後段部には空気清浄用部材が収納された補助空気浄化機器が着脱自在に取り付けられた、
ことを特徴とする請求項１，請求項２または請求項３記載の脱臭機能付き空気浄化装置。
【発明の詳細な説明】
【０００１】
【発明の属する技術分野】
本発明は、脱臭機能付き空気浄化装置にかかり、特に各部材がユニット化されてそれぞれ交換可能にされた脱臭機能付き空気浄化装置に関するものである。
【従来の技術】
従来より、空気浄化装置としては各種構造のものが提案されているが、いずれの空気浄化装置も液体中に複数の粒状をなすセラミック炭を浸し、これを収納部材の底部から臭気を透過させ、収納部材に浸された複数の粒状をなすセラミック炭を巻き上がらせ、該セラミック炭に臭気成分を吸着させて脱臭する構造のものは提案されていないのが現状である。
【発明が解決しようとする課題】
有便性を増した生活の中でさまざまな環境問題に直面し始めているが臭いの問題も私たちの日常生活が便利になればなるほど深刻さを増しているのが実状である。
ここで、木炭にせよ、竹炭にせよ、従来より素材としての炭が臭いやガスの吸着能力、調湿能力において優れていることは一般に知られていることである。
しかし、この脱臭素材等としての炭の利用に際しては、あくまで炭自体の自然吸収力に委ねていたことから即効性に欠けるところがあり、今ひとつ各種浄化装置における炭利用の普及につながっていないのが現状である。
本発明は、かかる従来の状況に鑑みて創案されたものであり、構造が簡単故、製造コストを安価になしえ、脱臭効率に優れ、部品を簡単に交換できるため長期にわたって使用できる等優れた利点を有する脱臭機能付き空気浄化装置を提供しようとするものである。
さらに、原料がおが屑や籾殻、間伐材等の廃棄物や副産品未利用資源から作られたセラミック炭を用いて即効能力の高い空気浄化を行え、しかもそれが環境対策の一環として社会に貢献できることとなる脱臭機能付き空気浄化装置を提供しようとするものである。
【課題を解決するための手段】
本発明は、
気体を吸引して外部へ送出する気体吸引送出機器と、
前記気体吸引送出機器に接続され、外部からの臭気を導入する気体導入部と、
前記気体導入部からの臭気を処理する臭気処理部と、を有する浄化装置本体と、を備え、
前記臭気処理部は、液体中に複数の粒状をなすセラミック炭が浸されて構成され、
臭気処理部内に前記気体導入部からの臭気が泡状気体として進入すると共に、前記複数の粒状をなすセラミック炭を液体中に巻き上げ、泡状気体と粒状セラミック炭とを接触させてセラミック炭に臭気成分を吸着させ、臭気成分が除外された気体を外部へ送出させる、
ことを特徴とし、
または、
気体を吸引して外部へ送出する気体吸引送出機器と、
前記気体吸引送出機器に接続され、外部からの臭気を導入する気体導入部と、
前記気体導入部からの臭気を処理する臭気処理部と、を有する浄化装置本体と、を備え、
前記臭気処理部は、液体中に複数の粒状をなすセラミック炭が浸されて構成され、
前記気体導入部からの臭気が気体導入部と臭気処理部との仕切りを透過し、泡状気体として臭気処理部内へ進入すると共に、前記複数の粒状をなすセラミック炭を液体中に巻き上げ、泡状気体と粒状セラミック炭とを接触させてセラミック炭に臭気成分を吸着させ、臭気成分が除外された気体を外部へ送出させる、
ことを特徴とし、
または、
前記臭気処理部はユニット化され、交換可能とされてなることを特徴とし、
または、
前記臭気処理部の前段部あるいは後段部若しくは前，後段部には空気清浄用部材が収納された補助空気浄化機器が着脱自在に取り付けられた、
ことを特徴とするものである。
【発明の実施の形態】
ここで、本発明にかかる脱臭機能付き空気浄化装置の一実施形態につき図を参照して説明する。
【０００２】
図１は、ポンプ及び送風機を備えた気体吸引タイプの気体吸引送出機器１を最後段に接続して構成され、外部吸入口１５から導入された気体（臭気）を補助空気浄化機器１２、浄化装置本体２、補助空気浄化機器１２の順に気体通過路１３を経て移送させ、前記浄化装置本体２内の臭気処理部４において導入された臭気から臭気成分を除外させ、ポンプ及び送風機を備えた吸引送出機器１からの外部送出口１６から浄化処理した気体を送出する構成の脱臭機能付き空気浄化装置であり、図１では臭気処理部４を有する浄化装置本体２を１機のみ使用した場合のものである。
【０００３】
ポンプ及び送風機を備えた気体吸引タイプの気体吸引送出機器１を作動させると、外部吸引口１５から臭気が導入される。
【０００４】
臭気はまず補助空気浄化機器１２に入り、ついで気体通過路１３を経て浄化装置本体２に移送される。気体導入部５に入った臭気は連続的に吸引される結果、通気性ある仕切り部材７を透過してセラミック炭９が浸されている収納液８が入った臭気処理部４に強制的に進入する。
【０００５】
臭気処理部４では臭気が泡状気体１７となって上方へ立ち上り、かつセラミック炭９を巻き上げる。
【０００６】
と同時に泡状気体１７と巻き上げられた微粒状のセラミック炭９が頻繁に接触し、その結果セラミック炭９は泡状気体１７から臭気成分を吸収する。
【０００７】
よって、臭気成分が除外された泡状気体１７は浄化された気体となり仕切り部材７を通過して気体通過部３へ移動する。
【０００８】
そして、気体通過路１３を経てさらに補助空気浄化機器１２に移送され、最終的に臭いのない浄化された気体が外部送出口１６から外部へ送出されるのである。
【０００９】
図２は、ポンプ及び送風機を備えた気体押出しタイプの気体吸引機器１を用いて最先端に接続して構成され、外部吸入口１５から導入された気体をポンプ及び送風機によって補助空気浄化機器１２、浄化装置本体２、補助空気浄化機器１２の順に気体通過路１３を経て外部送出口１６から浄化処理した気体を送出する構成の脱臭機能付き空気浄化装置であり、図２では臭気処理部４を有する浄化装置本体２をやはり１機のみ使用した場合のものである。
【００１０】
図２の実施形態ではポンプ及び送風機を備えた気体押出しタイプの気体吸引機器１を用いて、これを最先端に設置したものである。各種の状況によって図１や図２の実施形態が使用される。
【００１１】
図３は、ポンプ及び送風機に吸引タイプの気体吸引送出機器１を最後段に接続して構成され、外部吸入口１５から導入された気体を補助空気浄化機器１２、浄化装置本体２、浄化装置本体２、補助空気浄化機器１２の順に気体通過路１３を経て外部送出口１５から浄化処理した気体を送出する構成の脱臭機能付き空気浄化装置であり、図３では臭気処理部４を有する浄化装置本体２を２機使用した場合のものである。
【００１２】
図４は、ポンプ及び送風機に押出しタイプのものを使用した気体吸引送出機器１を最先端に接続して構成したもので、外部吸入口１５から導入された気体を気体吸引送出機器１にて補助空気浄化器器１２、浄化装置本体２、浄化装置本体２、補助空気浄化機器１２の順に気体通過路１３を経て外部送出口１５から浄化処理した気体を送出する構成の脱臭機能付き空気浄化装置であり、図４においても臭気処理部４を有する浄化装置本体２を２機使用した場合のものである。
【００１３】
図３あるいは図４の実施形態は、比較的臭気の強い場合に使用されるものであり、その状況に応じてさらに浄化装置本体２を加えても構わない。
【００１４】
このように、図１乃至図４に示される実施形態で、処理する臭気の度合や送風量に応じて気体通過路１３の長さや径の太さをコントロールしたり、浄化装置本体２を単層乃至複数層へ変更したり、またポンプ及び送風機を押出しタイプと吸引タイプとに組み合わせたり、あるいは中間段部分に集中して浄化装置本体２や補助空気浄化機器１２を配置可能にし、もって設置レイアウトを自由自在のものとして構成しても構わない。
【００１５】
また、前記の機器や気体通過路１３を電子的に制御コントロールできるシステムとして構成しても構わないものである。
【００１６】
図５は図１乃至図４で示された浄化装置本体２の構成説明図で、収納液（例えば水）８に浸されたセラミック炭９の粒子が、通気性を有する気体導入側に設けられた仕切り部材７と気体送出側に設けられた通気性を有する仕切り部材７との間に配置されて形成された臭気処理部４と、該臭気処理部４の上部に設けられた気体通過部３と、該臭気処理部４の下部に設けられた気体導入部５と、を備えて構成されている。
【００１７】
そして、前述のように臭気のある気体が気体導入部５に入り、通気性を有する仕切り部材７を透過して臭気処理部４に進入したときに微泡状の泡状気体１７となり収納液８内に立ち上がり、その影響で収納液８内に浸された複数のセラミック炭９の粒子を収納液８内に巻き上げながらセラミック炭９の粒子と接触する。
【００１８】
そして、泡状気体１７内の臭気成分をセラミック炭９が吸収するものとなる。
【００１９】
泡状気体１７内の臭気成分をセラミック炭９が吸収した結果、臭気成分が処理前より除かれ、クリーンな気体となって通気性を有する仕切り部材７を透過して臭気処理部４から気体通過部３に移動すると共に気体通過路１３に移送され次の工程へ送出されるのである。
【００２０】
図６は、図５のように仕切り部材７は使用せず、浄化装置本体２の下部に設けた気体導入部５をパイプ状に形成し、パイプ状の気体導入部５に気泡を形成するための泡状気体噴出孔１８を設けた簡単なタイプの浄化装置本体２を示したものである。
【００２１】
図６においても臭気のある気体が気体導入部５に入り泡状気体噴出孔１８から臭気処理部４の収納液８内に泡状気体１７となって立ち上がり、その影響で収納液８に浸された複数のセラミック炭９の粒子を収納液８内に巻き上げながらセラミック炭９の粒子と接触し、泡状気体１７内の臭気成分をセラミック炭９が吸収する。
【００２２】
そして、泡状気体１７内の臭気成分をセラミック炭９に吸収させた結果、臭気成分が処理前よりも除かれたクリーンな気体となり、次の工程へ向かうべく気体通路１３へ送出される構造となっている。
【００２３】
なお、図１乃至図４に示されている補助空気浄化機器１２内の空気清浄用部材１１の素材については何ら制限されるものではなく、通常脱臭剤として用いられる活性炭や炭素繊維類及び不織布等が例としてあげられる。
【００２４】
ところで、本発明の主素材として用いられるセラミック炭９は、リサイクル品の再利用で形成でき、いわゆる地球環境を考慮したエコロジー製品でもある。
【００２５】
すなわち、従来は破棄されていた未利用資源や、廃棄に費用をかけていた副産物なども原材料にしうる、つまり燃えるものは全てセラミック炭９にしうるのである。
【００２６】
そして、無機質粘結剤には陶磁器などの原料となるセラミック質の物質が用いられ、原料とミックスした後、たとえば特殊な炭化炉で炭化される。
【００２７】
燃焼温度は約８００℃で、燃焼時間は約２０分という従来の炭よりも遥かに短時間で製品化することができることとなる。
ここで、セラミック炭１は、内部空間率が約８０〜９０％あるため、内部表面積が極めて大きく、吸水性・保湿性も高く、酸化ケイ素、アルミナ、酸化鉄、酸化カルシウムなどのミネラルが多く含まれている。
【００２８】
その他セラミック炭の主な原料としては、森林、山林管理での間伐材、山林工事の出材、ダム流木などがあげられ、いわゆる前記間伐材も、枝、葉までも粉砕すれば優れたセラミック炭９になる。
【００２９】
さらに、果汁剪定材、園芸残材等、公園、街路樹の緑化剪定材の処分材、製材大鋸屑、プレーナー屑、建築廃材、籾殻、焼酎糟、珈琲糟、茶殻等があげられる。
【００３０】
そして、セラミック炭１はリン、カリウム、マンガン、鉄などの水溶性ミネラルを含み、前述のように多孔質であり、有用微生物の増殖を助け、保水性、通水性、通気性を有する。
【００３１】
すなわち、セラミック炭１は細孔直径１２３．０５５０マイクロメートル乃至０．００６０マイクロメートルと非常にフレキシビリティーなハニカム構造をなす気孔を有している。
【００３２】
そして、固定炭素７２％乃至８７％とある意味炭素の塊といえる。
【００３３】
また、ＰＨ９．１乃至ＰＨ９．３と強いアルカリ性質であることから、イオンを多く含んだ吸着性の高いガラス繊維のようなコーティングが施されたフレキシビリティーなハニカム構造をなす微気孔を備えたセラミック炭９が収納液８中で前記微気孔内に浸透した収納液８を単分子化（浄化）し、新たに汚れた成分（臭気等）進入してくると、それと入れ替わることとなる。
【００３４】
すなわち、タバコの煙のような炭素成分を含む空気中に浮遊する汚れ粒子がセラミック炭９の固定酸素に引きつけられて、セラミック炭９内に吸着されるものと考えられる。
【００３５】
これまで記述してきたように、本発明はまさに自然から生まれ、活用し、自然に戻すことのできる理想のリサイクル精神に最も近い炭製品であるセラミック炭９を用いるものである。
【００３６】
そして、深刻度を増す臭いの環境問題にこれまで優れた能力を持ちながら脱臭即効性に乏しかった脱臭能力を飛躍的に発揮させるものである。
【発明の効果】
本発明は、上記の通り構成されているので以下の効果を奏する。
【００３７】
すなわち、本発明による脱臭機能付き空気浄化装置は、従来製品と比較して脱臭能力に優れ、構造が簡単故に製造コストを安価になしえ、しかも部材を簡単に交換できるため長期にわたって使用できる等優れた効果を奏する。
そして、人にも自然にも優しい環境対策システム機器の一つとして一般に提供できるものとなる。
【図面の簡単な説明】
【図１】本発明の概略構成を説明する概略構成説明図（その１）である。
【図２】本発明の概略構成を説明する概略構成説明図（その２）である。
【図３】本発明の概略構成を説明する概略構成説明図（その３）である。
【図４】本発明の概略構成を説明する概略構成説明図（その４）である。
【図５】仕切り部材を用いて形成した浄化装置本体の概略構成を説明する概略構成説明図である。
【図６】仕切り部材を用いない浄化装置本体の概略構成を説明する概略構成説明図である。
【符号の説明】
１　　気体吸引送出機器
２　　浄化装置本体
３　　気体通過部
４　　臭気処理部
５　　気体導入部
７　　仕切り部材
８　　収納液
９　　セラミック炭
１１　　空気清浄用部材
１２　　補助空気浄化機器
１３　　気体通過路
１５　　外部吸引口
１６　　外部送出口
１７　　泡状気体
１８　　泡状気体噴出口
【図１】
2004016681.tif 000003
【図２】
2004016681.tif 000004
【図３】
2004016681.tif 000005
【図４】
2004016681.tif 000006
【図５】
2004016681.tif 000007
【図６】
2004016681.tif 000008